(57)【要約】【課題】  液晶ディスプレイを備える自動販売機において、液晶ディスプレイに表示する商品画像の並び順や大きさの設定が可能な仕組みを提供すること【解決手段】  自動販売機の液晶ディスプレイに商品画像を表示する際の表示パターンの設定を受け付け、自動販売機のコラム毎に商品情報の設定を受け付け、自動販売機のコラムと前記表示パターンの各表示エリアとの対応付けを行い、前記表示パターンと、前記対応付手段により表示パターンの各表示エリアに対応付けられたコラムにかかる商品情報とを前記自動販売機に送信する携帯端末。【選択図】  図１
2012098854.tif 000002
【特許請求の範囲】
【請求項１】
液晶ディスプレイを備える自動販売機と通信可能な携帯端末であって、
前記自動販売機の液晶ディスプレイに商品画像を表示する際の表示パターンの設定を受け付ける表示パターン設定手段と、
前記自動販売機のコラム毎に商品情報の設定を受け付ける商品情報受付手段と、
前記自動販売機のコラムと前記表示パターン設定手段で設定された表示パターンの各表示エリアとの対応付けを行う対応付手段と、
前記表示パターンと、前記対応付手段により表示パターンの各表示エリアに対応付けられたコラムにかかる商品情報とを前記自動販売機に送信する送信手段と、
を備えることを特徴とする携帯端末。
【請求項２】
前記商品情報受付手段により受け付けるコラム毎の商品情報は、当該コラムに設置される商品を示す商品画像データを含むことを特徴とする請求項１に記載の携帯端末。
【請求項３】
前記商品情報受付手段により受け付けるコラム毎の商品情報は、さらに当該コラムに設置される商品の価格を示す価格画像を含むことを特徴とする請求項１又は２に記載の携帯端末。
【請求項４】
液晶ディスプレイを備える自動販売機と通信可能な携帯端末における情報処理方法であって、
表示パターン設定手段が、前記自動販売機の液晶ディスプレイに商品画像を表示する際の表示パターンの設定を受け付ける表示パターン設定工程と、
商品情報受付手段が、前記自動販売機のコラム毎に商品情報の設定を受け付ける商品情報受付工程と、
対応付手段が、前記自動販売機のコラムと前記表示パターン設定工程で設定された表示パターンの各表示エリアとの対応付けを行う対応付工程と、
送信手段が、前記表示パターンと、前記対応付工程により表示パターンの各表示エリアに対応付けられたコラムにかかる商品情報とを前記自動販売機に送信する送信工程と、
を備えることを特徴とする情報処理方法。
【請求項５】
液晶ディスプレイを備える自動販売機と通信可能な携帯端末で実行可能なプログラムであって、
前記携帯端末を、
前記自動販売機の液晶ディスプレイに商品画像を表示する際の表示パターンの設定を受け付ける表示パターン設定手段と、
前記自動販売機のコラム毎に商品情報の設定を受け付ける商品情報受付手段と、
前記自動販売機のコラムと前記表示パターン設定手段で設定された表示パターンの各表示エリアとの対応付けを行う対応付手段と、
前記表示パターンと、前記対応付手段により表示パターンの各表示エリアに対応付けられたコラムにかかる商品情報とを前記自動販売機に送信する送信手段として機能させることを特徴とするプログラム。
【発明の詳細な説明】
【技術分野】
【０００１】
本発明は、携帯端末を用いて自動販売機の液晶画面の表示を制御する技術に関する。
【背景技術】
【０００２】
缶入り飲料などを販売する自動販売機においては、液晶ディスプレイを備え、液晶ディスプレイに商品画像を表示するものがある。
【０００３】
このような自動販売機にあっては、従来からある商品サンプルを陳列することで販売している商品を表示する自動販売機と違い、液晶ディスプレイに表示する商品画像のデータを変更すれば良いため、商品サンプルを入れ替える必要が無く、商品の入れ替えなどの作業が軽減される。
【０００４】
特許文献１には、液晶ディスプレイを備える自動販売機における液晶画像の切り替えに関する技術として、商品が売り切れたときに売り切れ商品に対応する商品画像を代用商品の商品画像に置き換えることで自動販売機の販売能力を高める技術が開示されている。
【先行技術文献】
【特許文献】
【０００５】
【特許文献１】特開２００５−２０２４９０号公報
【発明の開示】
【発明が解決しようとする課題】
【０００６】
自動販売機の販売能力を高めるためには、売り切れ商品の画像を切り替えるだけでなく、当該自動販売機で販売されている商品ひとつひとつについて、商品画像の大きさや表示する順序なども考慮して購買意欲をかきたてることも必要である。
【０００７】
そこで、本発明は、液晶ディスプレイを備える自動販売機において、液晶ディスプレイに表示する商品画像の並び順や大きさの設定が可能な仕組みを提供することを目的とする。
【課題を解決するための手段】
【０００８】
本発明は、液晶ディスプレイを備える自動販売機と通信可能な携帯端末であって、前記自動販売機の液晶ディスプレイに商品画像を表示する際の表示パターンの設定を受け付ける表示パターン設定手段と、前記自動販売機のコラム毎に商品情報の設定を受け付ける商品情報受付手段と、前記自動販売機のコラムと前記表示パターン設定手段で設定された表示パターンの各表示エリアとの対応付けを行う対応付手段と、前記表示パターンと、前記対応付手段により表示パターンの各表示エリアに対応付けられたコラムにかかる商品情報とを前記自動販売機に送信する送信手段と、を備えることを特徴とする。
【０００９】
また、本発明は、液晶ディスプレイを備える自動販売機と通信可能な携帯端末における情報処理方法であって、表示パターン設定手段が、前記自動販売機の液晶ディスプレイに商品画像を表示する際の表示パターンの設定を受け付ける表示パターン設定工程と、商品情報受付手段が、前記自動販売機のコラム毎に商品情報の設定を受け付ける商品情報受付工程と、対応付手段が、前記自動販売機のコラムと前記表示パターン設定工程で設定された表示パターンの各表示エリアとの対応付けを行う対応付工程と、送信手段が、前記表示パターンと、前記対応付工程により表示パターンの各表示エリアに対応付けられたコラムにかかる商品情報とを前記自動販売機に送信する送信工程と、を備えることを特徴とする。
【００１０】
また、本発明は、液晶ディスプレイを備える自動販売機と通信可能な携帯端末で実行可能なプログラムであって、前記携帯端末を、前記自動販売機の液晶ディスプレイに商品画像を表示する際の表示パターンの設定を受け付ける表示パターン設定手段と、前記自動販売機のコラム毎に商品情報の設定を受け付ける商品情報受付手段と、前記自動販売機のコラムと前記表示パターン設定手段で設定された表示パターンの各表示エリアとの対応付けを行う対応付手段と、前記表示パターンと、前記対応付手段により表示パターンの各表示エリアに対応付けられたコラムにかかる商品情報とを前記自動販売機に送信する送信手段として機能させることを特徴とする。
【発明の効果】
【００１１】
本発明によれば、液晶ディスプレイを備える自動販売機において、液晶ディスプレイに表示する商品画像の並び順や大きさの設定が可能な仕組みを提供することが可能となる。
【図面の簡単な説明】
【００１２】
【図１】本実施形態のシステム構成の一例を示す図である
【図２】本実施形態のクライアントＰＣ１０１、携帯端末１０２、自動販売機１０３に適用可能なハードウエア構成の一例を示す図である
【図３】携帯端末１０２によるコラム設定処理を示すフローチャートである
【図４】携帯端末１０２による表示フレーム設定処理を示すフローチャートである
【図５】携帯端末１０２によるフレームとコラムの対応付け処理を示すフローチャートである
【図６】携帯端末１０２による価格画像変更処理を示すフローチャートである
【図７】自動販売機マスタテーブルの一例を示す図である
【図８】価格画像マスタテーブルの一例を示す図である
【図９】商品画像マスタテーブルの一例を示す図である
【図１０】表示パターンテーブルの一例を示す図である
【図１１】設定情報テーブルの一例を示す図である
【図１２】携帯端末１０２に表示される自動販売機選択画面の一例を示す図である
【図１３】携帯端末１０２に表示されるコラム選択画面の一例を示す図である
【図１４】携帯端末１０２に表示される商品情報設定画面の一例を示す図である
【図１５】携帯端末１０２に表示される表示パターン選択画面の一例を示す図である
【図１６】携帯端末１０２に表示される表示パターン設定画面の一例を示す図である
【図１７】携帯端末１０２に表示される表示エリアとコラムの対応付け画面の一例を示す図である
【図１８】携帯端末１０２に表示される価格画像変更指示受付画面の一例を示す図である
【図１９】携帯端末１０２に表示される価格画像変更画面の一例を示す図である
【図２０】携帯端末１０２に表示される設定情報送信画面の一例を示す図である
【発明を実施するための形態】
【００１３】
以下、図面を参照して本発明の実施形態を詳細に説明する。
【００１４】
図１は、本発明におけるシステム構成の一例を示す図である。クライアントＰＣ１０１と携帯端末１０２はネットワーク１０４を介して通信可能に接続される。携帯端末１０２と自動販売機１０３は赤外線通信等によりそれぞれ通信可能である。
【００１５】
次に、図２を用いて本実施形態のクライアントＰＣ１０１、携帯端末１０２、自動販売機１０３に適用可能なハードウエア構成について説明する。図２は、本実施形態のクライアントＰＣ１０１、携帯端末１０２、自動販売機１０３に適用可能なハードウエア構成の一例を示す図である。
【００１６】
図２において、２０１はＣＰＵ２０１であり、システムバス２０４に接続される各デバイスやコントローラを統括的に制御する。
【００１７】
また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、サーバ或いは各クライアントの実行する機能を実現するために必要な後述する各種プログラム等が記憶されている。ＲＡＭ２０３は、ＣＰＵ２０１の主メモリ、ワークエリア等として機能する。
【００１８】
ＣＰＵ２０１は、処理の実行に際して必要なプログラム等をＲＡＭ２０３にロードして、プログラムを実行することで各種動作を実現するものである。
【００１９】
また、入力コントローラ（入力Ｃ）２０５は、キーボード２０９や不図示のマウス等のポインティングデバイスからの入力を制御する。
【００２０】
ビデオコントローラ（ＶＣ）２０６は、ディスプレイ２１０への表示を制御する。ディスプレイは、ＣＲＴディスプレイでも液晶ディスプレイ等でも構わない。
【００２１】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）やフロッピーディスク（登録商標）（ＦＤ）或いはＰＣＭＣＩＡカードスロットにアダプタを介して接続されるコンパクトフラッシュ（登録商標）等の外部メモリ２１１へのアクセスを制御する。
【００２２】
通信Ｉ／Ｆコントローラ（通信Ｉ／ＦＣ）２０８は、ネットワーク１０４を介して、外部機器と接続・通信するものであり、ネットワークでの通信制御処理を実行する。例えば、ＴＣＰ／ＩＰを用いたインターネット通信等が可能である。
【００２３】
なお、ＣＰＵ２０１は、例えばＲＡＭ２０３内の表示情報用領域へアウトラインフォントの展開（ラスタライズ）処理を実行することにより、ディスプレイ２１０上での表示を可能としている。
【００２４】
また、ＣＰＵ２０１は、ディスプレイ２１０上の不図示のマウスカーソル等でのユーザ指示を可能とする。
【００２５】
本発明を実現するためのプログラムは外部メモリ２１１に記録されており、必要に応じてＲＡＭ２０３にロードされることによりＣＰＵ２０１によって実行されるものである。
【００２６】
プリンタコントローラ２１２は、サーマルドットライン方式プリンタ２１３等の印刷機を制御する。
【００２７】
スキャナコントローラ２１４は、スキャナ２１５等の識別器を制御する。
【００２８】
さらに、本発明に係わるプログラムが用いる各種データ及び各種テーブルは外部メモリ２１１に格納されており、これらについての詳細な説明は後述する。なお、全ての装置がこれらの構成を備えているわけではなく、必要なものを夫々備えていればよい。
【００２９】
図３は、本発明の実施形態における、携帯端末１０２によるコラム設定処理を示すフローチャートである。なお、図３に示すフローチャートのステップＳ１０１〜Ｓ１０８、Ｓ１１２、Ｓ１１５、Ｓ１１６の処理については、携帯端末１０２のＣＰＵ２０１が所定の制御プログラムを読み出して実行する処理である。
【００３０】
ステップＳ１０９〜Ｓ１１１、Ｓ１１３、Ｓ１１４の処理については、自動販売機１０３のＣＰＵ２０１が所定の制御プログラムを読み出して実行する処理である。
【００３１】
ステップＳ１０１では、携帯端末１０２のＣＰＵ２０１は、図１２に示す自動販売機選択画面を表示し、ユーザからの自動販売機の選択を受け付ける。なお、図１２に示す画面で表示される情報は、携帯端末１０２に記憶された自動販売機マスタテーブル（図７）に記憶された自動販売機１０３にかかる情報である。
【００３２】
ステップＳ１０２では、ステップＳ１０１で選択された自動販売機１０３のコラムひとつひとつに対する情報の設定を受け付ける。具体的には、まず、図１３に示すコラム選択画面を表示し、ユーザからどのコラムに係る情報の設定をするかの選択を受け付ける。そして、コラムが選択されると、図１４に示す商品情報設定画面を表示し、ユーザから商品コード、単価、Ｈ／Ｃ情報（ホットかコールドかを示す情報）、設置数（当該コラムに商品をいくつ投入するかを示す情報）等の情報を受け付ける。そして、図１４に示す画面においてユーザから商品コード、単価、Ｈ／Ｃ情報、設置数等の情報を受け付け、設定ボタンが押下されると、当該情報を図１１に示す設定情報テーブルに登録する。なお、商品交換をする場合のように、すでに図１１に示す設定情報テーブルに当該選択されたコラムに関する情報が設定されている場合は、今回の処理において設定した情報を既に設定されている情報に上書きする。
【００３３】
ステップＳ１０３では、ステップＳ１０２で設定された単価情報に対応する価格画像を、価格画像マスタテーブル（図８）から検索する。
【００３４】
ステップＳ１０４では、ステップＳ１０３での検索結果を判断し、ステップＳ１０３で価格画像が検索された場合には、ステップ１０５に処理を移行する。他方、ステップＳ１０３で価格画像が検索されなかった場合は、ステップＳ１０２に処理を戻し、再度、コラム設定処理を行う。
【００３５】
ステップＳ１０５では、ステップＳ１０２で設定された商品情報に対応する商品画像を、商品画像マスタテーブル（図９）から検索する。
【００３６】
ステップＳ１０６では、ステップＳ１０５での検索結果を判断し、ステップＳ１０５で商品画像が検索された場合には、ステップＳ１０７に処理を移行する。他方、ステップＳ１０５で商品画像が検索されなかった場合は、ステップＳ１０２に処理を戻し、再度、コラム設定処理を行う。
【００３７】
ステップＳ１０７では、ステップＳ１０３およびステップＳ１０５で検索された画像情報を図１１に示す設定情報テーブルに登録する。
【００３８】
ステップＳ１０８では、図１１に示す設定情報テーブルを自動販売機１０３に送信する。
【００３９】
ステップＳ１０９では、自動販売機１０３のＣＰＵ２０１は、ステップＳ１０８で携帯端末１０２から送信された設定情報テーブルを受信する。
【００４０】
ステップＳ１１０では、自動販売機１０３の記憶領域に記憶された設定情報と、ステップＳ１０９で携帯端末１０２から受信した設定情報（図１１）とが一致するか否かを判定する。一致すると判定されると、処理をステップＳ１１３へ移行する。他方、一致しないと判定されると、処理をステップＳ１１１へ移行する。
【００４１】
ステップＳ１１１では、一致しなかった旨を示すエラー情報を携帯端末１０２へ送信する。
【００４２】
ステップＳ１１２では、携帯端末１０２は、ステップＳ１１１で自動販売機１０３から送信されたエラー情報を受信し、処理をステップ１０２へ戻す。
【００４３】
ステップＳ１１３では、ステップＳ１０９で携帯端末１０２から受信した設定情報を自動販売機１０３に登録する。
【００４４】
ステップＳ１１４では、設定が完了した旨の通知を携帯端末１０２に送信する。
【００４５】
ステップＳ１１５では、携帯端末１０２は、ステップＳ１１４で自動販売機１０３が送信した設定完了通知を受信し、処理をステップＳ１１６へ移行する。
【００４６】
ステップＳ１１６では、全てのコラムに対して情報が設定されたか否かを判定する。全てのコラムに対して情報が設定されていない場合は処理をステップＳ１０２に戻し、まだ情報が設定されていないコラムに対する情報の設定を受け付ける。他方、全てのコラムに対して情報が設定されている場合は、処理を図４のフローチャートで示す処理に移行する。
【００４７】
次に、図４に示すフローチャートを用いて、携帯端末１０２による表示フレーム設定処理について説明する。なお、図４に示すフローチャートのステップＳ２０１〜Ｓ２０８、Ｓ２１２の処理については、携帯端末１０２のＣＰＵ２０１が所定の制御プログラムを読み出して実行する処理である。
【００４８】
ステップＳ２０９〜Ｓ２１１の処理については、自動販売機１０３のＣＰＵ２０１が所定のプログラムを読み出して実行する処理である。
【００４９】
ステップＳ２０１では、図１５に示す表示パターン選択画面を表示し、ユーザから表示パターンの選択を行うか否かの指示を受け付ける。表示パターンの選択をする旨の指示である場合（図１５に示す画面で、「選択する」ボタンが押下された場合）は、処理をステップＳ２０２に移行する。表示パターンを選択しない旨の指示である場合（図１５に示す画面で、「デフォルト適用」ボタンが押下された場合）は、処理をステップＳ２０３に移行する。
【００５０】
ステップＳ２０２では、図１６に示す画面を表示し、ユーザから表示パターンの選択を受け付ける。なお、図１６に示す画面にかかる情報は、図１０の表示パターンテーブルに登録されている情報である。
【００５１】
ステップＳ２０３では、デフォルトとして設定されたパターンを適用する。なお、デフォルトとして設定されたパターンは、図１０においてチェックがされたパターンであり、いずれのパターンをデフォルトとするかは、予め設定されているものとする。
【００５２】
ステップＳ２０４では、ステップＳ２０２またはステップＳ２０３で設定された表示パターンの中で、どこのエリアにどのコラムを対応させるかを設定する処理である。本処理の詳細については、図５に示すフローチャートを用いて後述する。
【００５３】
ステップＳ２０５では、図１８に示す画面を表示する。すなわち、どこのエリアにどのコラムが対応付けられたのかを確認出来る画面を表示する。
【００５４】
ステップＳ２０６では、価格画像を変更するか否かの指示をユーザから受け付ける。価格を変更する旨の指示があった場合（図１８における価格変更ボタンが押下された場合）は、処理をステップＳ２０７へ移行し、価格を変更する旨の指示が無い場合（図１８におけるＯＫボタンが押下された場合）は、処理をステップＳ２０８へ移行する。
【００５５】
ステップＳ２０７では、価格画像を変更する処理であり、詳細については図６のフローチャートを用いて後述する。
【００５６】
ステップＳ２０８では、図２０に示すフレーム情報送信画面を表示し、図２０の画面におけるＯＫボタンが押下されると、フレーム情報が自動販売機１０３に送信される。
【００５７】
ステップＳ２０９では、自動販売機１０３は、ステップＳ２０８で携帯端末１０２から送信されたフレーム情報を受信する。
【００５８】
ステップＳ２１０では、ステップＳ２０９で受信したフレーム情報を、自動販売機１０３の表示部に表示するべく設定する。
【００５９】
ステップＳ２１１では、ステップＳ２１０における設定が完了した旨の通知を携帯端末１０２に対して送信する。
【００６０】
ステップＳ２１２では、携帯端末１０２は、ステップＳ２１１で自動販売機１０３が送信した設定完了通知を受信する。
【００６１】
次に、図５に示すフローチャートを用いて、携帯端末１０２によるフレームとコラムの対応付け処理について説明する。なお、なお、図５に示すフローチャートの各処理については、携帯端末１０２のＣＰＵ２０１が所定の制御プログラムを読み出して実行する処理である。
【００６２】
ステップＳ３０１では、ステップＳ２０２で選択された表示パターンまたはステップＳ２０３で設定された表示パターンを表示する（図１７）。
【００６３】
ステップＳ３０２では、図１７に示す表示パターン１７０１のどこのエリアとどのコラムの対応付けを行うかの選択を受け付ける。
【００６４】
ステップＳ３０３では、図１７に示す対応コラム１７０２から、ステップＳ３０２で選択されたフレームに対応付けるコラムの選択を受け付ける。
【００６５】
ステップＳ３０２およびステップＳ３０３の処理が実行されることで、図１７に示す表示パターンの斜線エリアにコラム番号９のコラムが対応づけられることになる。これにより、表示パターンにおける斜線エリアには、図１１の設定情報テーブルのコラムＮｏ．９の情報が表示されることになる。
【００６６】
なお、複数のコラムをひとつのエリアに対応付ける場合は、複数のコラムを選択できるようにしてもよい。この際、設定される情報に矛盾が生じないように、同じエリアに対しては同じ商品情報のコラムだけを選択できるように制御しても良い。具体的な制御としては、最初に選択されたコラムと同じ商品情報が設定されているコラムのみを選択可能に表示させるようにするといった方法が考えられる。
【００６７】
ステップＳ３０４では、全てのコラムがいずれかのエリアに対応付けられたかを判断する。表示エリアに対応づけられていないコラムがある場合は（ステップＳ３０４：ＮＯ）、処理をステップＳ３０２に戻し、当該対応付けがされていないコラムについて、対応付けの処理を実行する。全てのコラムがいずれかのエリアに対応付けられている場合は（ステップＳ３０４：ＹＥＳ）、処理をステップＳ３０５に移行する。
【００６８】
ステップＳ３０５では、コラムに設定された画像を対応付けられた表示エリアに表示するべく登録する。
【００６９】
次に、図６に示すフローチャートを用いて、携帯端末１０２による価格画像変更処理について説明する。なお、図６のフローチャートの各処理は、携帯端末１０２のＣＰＵ２０１が所定の制御プログラムを読み出して実行する処理である。
【００７０】
ステップＳ４０１では、図１９に示す画面を表示し、価格画像の変更をしたいエリアの選択を受け付ける。
【００７１】
ステップＳ４０２では、ステップＳ４０１で選択されたエリアに対応するコラムの情報から、単価にかかる情報を取得し、当該単価に対応する画像を価格画像マスタテーブルから検索し抽出する。
【００７２】
ステップＳ４０３では、ステップＳ４０２で抽出された画像のリストを表示し、いずれの画像に変更するかの選択を受け付ける。表示されるリストの一例を図１９における価格画像で示す。なお、ステップＳ４０２で画像が検索されなかった場合は、対応する画像がない旨のエラーメッセージを表示しても良い。
【００７３】
ステップＳ４０４では、図１９における設定ボタンが押下されたか否かを判断する。設定ボタンが押下された場合（ステップＳ４０４：ＹＥＳ）は、本フローチャートに示す処理を終了する。他方、設定ボタンが押下されていない場合（ステップＳ４０４：ＮＯ）は、処理をステップＳ４０１に戻し、再度エリアの選択を受け付ける。
【００７４】
以上の図３〜図６のフローチャートで示す処理を実行することにより、液晶ディスプレイを備える自動販売機１０３に対して、当該液晶ディスプレイに表示する商品画像の並び順や大きさの設定が可能となる。
【００７５】
図７に示すテーブルは、自動販売機マスタテーブルである。当該携帯端末１０２に情報が登録された自動販売機１０３の名称（識別子）が設定されている。
【００７６】
図８に示すテーブルは、価格画像マスタテーブルであり、単価と価格画像データとが対応付けられて登録されたテーブルである。
【００７７】
図９に示すテーブルは、商品画像マスタテーブルであり、商品名と商品画像データとが対応付けられて登録されたテーブルである。
【００７８】
図１０に示すテーブルは、表示パターンが格納されたテーブルである。なお、図１０に示すデフォルト表示欄１２０１にフラグが立てられている表示パターンは、ステップＳ２０２においてデフォルトが選択された場合（図１５に示す画面で「デフォルト適用」が選択された場合）に設定される表示パターンである。
【００７９】
図１１に示すテーブルは、自動販売機毎のコラムに設定された情報が登録された設定情報テーブルである。図１１に示すテーブルの例では、自動販売機名称が「ＡＡＡ１２３４５」の各コラムの情報が設定されている。
【００８０】
なお、図１１に示す例では、商品コード、単価、Ｈ／Ｃ、商品画像、価格画像に関する情報が設定されているが、設定される情報としてはこれらに限られるものではなく、他の情報が設定されていてもよい。また、図１１に示す情報の全てが設定されていることが必須ではない。
【００８１】
また、図１１に示す設定情報は、携帯端末１０２の記憶領域に記憶され、ステップＳ１０８において自動販売機１０３に当該情報が送信される。
【００８２】
なお、図７〜図１１に示すデータテーブルは、携帯端末１０２に記憶されていても、携帯端末１０２以外（例えばクライアントＰＣ１０１）に記憶されていてもいずれでも良い。携帯端末１０２以外に記憶されている場合は、図１２〜図２０に示す画面を表示する際に、当該データテーブルが記憶されている端末から当該画面を表示するのに必要なデータテーブルを取得することとなる。
【００８３】
図１２に示す画面は、ステップＳ１０１に表示される画面であり、ユーザから本発明における処理を実行する対象となる自動販売機１０３の選択を受け付ける画面である。図１２に示す画面では、「ＢＢＢ１３５７９」の自動販売機１０３が選択されていることを示している。なお、図１２に示す画面で表示される情報は、携帯端末１０２に記憶された自動販売機マスタテーブル（図７）に記憶された情報である。
【００８４】
図１３に示す画面は、コラム選択画面であり、どのコラムの情報を設定するかを、ユーザから受け付ける画面である。図１３で選択されたコラムについて、図１４に示す画面において情報の設定を受け付ける。
【００８５】
図１４に示す画面は、図１３で選択されたコラムについての情報の設定を受け付ける画面である。図１４に示す画面で設定された情報は、図１１に示す設定情報テーブルに登録される。
【００８６】
なお図１４に示す例は、商品コード、単価、設置数にかかる情報については携帯端末１０２のテンキーなどから入力され、Ｈ／Ｃにかかる情報についてはプルダウンの形式で入力されることを想定した画面であるが、入力方法についてはこれに限られるものではない。
【００８７】
図１５に示す画面は、表示パターン選択画面であり、ユーザが図１０のテーブルに格納された表示パターンから任意の表示パターンを選択するか、それともデフォルトとして設定された表示パターンを適用するかの指示を受け付ける画面である。
【００８８】
図１６に示す画面は、表示パターン設定画面であり、図１５に示す画面で受け付けたユーザからの指示が、図１０のテーブルに格納された表示パターンから任意の表示パターを選択する旨の指示であった場合に表示される画面である。
【００８９】
図１６に示す例ではパターンＡが表示されていて、遷移ボタン１６０１または１６０２が押下されることで、他のパターンが表示されるようになる。
【００９０】
また、設定ボタン１６０３が押下されることで、当該画面に表示されている表示パターンが適用されることとなる。
【００９１】
図１７に示す画面は、表示エリアとコラムとを対応付ける画面である。例えば、１７０１に示す斜線で示す表示エリアの選択を受け付け、その後１７０２に示すコラム番号の選択を受け付けると（図１７に示す例では９番のコラムが選択されたことを示す）、斜線で示す表示エリアにコラム番号が９のコラムにかかる商品情報が表示される。
【００９２】
図１８に示す画面は、価格画像の変更をするかしないかの選択をユーザから受け付ける画面である。
【００９３】
「価格変更する」が選択されると図１９に示す画面に遷移し、価格画像の変更を受け付ける。「ＯＫ」が選択されると、価格画像の変更処理は行わず、図２０に示す表示フレーム送信画面を表示し、自動販売機１０３に対して表示フレーム情報を送信する処理へ移行する。
【００９４】
図１９に示す画面は、価格画像変更画面である。本画面では、図１７に示す対応付け画面と同様の操作により価格画像の変更を受け付ける。
【００９５】
具体的には、まず、１９０１で示す表示パターンの中で、価格表示を変更したい商品の選択を受け付ける。価格画像一覧１９０２には、選択された商品の単価に対応する価格画像の一覧が表示される。表示された一覧から、いずれかの選択を受け付けると、選択された当該価格画像が設定される。
【００９６】
図２０に示す画面は、表示フレームにかかる情報を自動販売機１０３に送信するための画面である。ＯＫボタンが押下されることで、表示パターンと、前記対応付手段により表示パターンの各表示エリアに対応付けられたコラムにかかる商品情報とが自動販売機１０３に送信される。
【００９７】
なお、本発明は、前述した実施形態の機能を実現するプログラムを、システム或いは装置に直接或いは遠隔から供給し、そのシステム或いは装置が、供給されたプログラムコードを読み出して実行することによっても達成される。従って、本発明の機能処理をコンピュータで実現するために、コンピュータにインストールされるプログラムコード自体も本発明の技術的範囲に含まれる。
【００９８】
その場合、プログラムの機能を有していれば、オブジェクトコード、インタプリタにより実行されるプログラム、ＯＳに供給するスクリプトデータ等、プログラムの形態を問わない。
【００９９】
プログラムを供給するための記録媒体としては、例えば、フロッピー（登録商標）ディスク、ハードディスク、光ディスク（ＣＤ、ＤＶＤ）、光磁気ディスク、磁気テープ、不揮発性のメモリカード、ＲＯＭなどがある。
【０１００】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【０１０１】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【符号の説明】
【０１０２】
１０１  クライアントＰＣ１０１
１０２  携帯端末
１０３  自動販売機
１０４  ネットワーク
【図１】
2012098854.tif 000003
【図２】
2012098854.tif 000004
【図３】
2012098854.tif 000005
【図４】
2012098854.tif 000006
【図５】
2012098854.tif 000007
【図６】
2012098854.tif 000008
【図７】
2012098854.tif 000009
【図８】
2012098854.tif 000010
【図９】
2012098854.tif 000011
【図１０】
2012098854.tif 000012
【図１１】
2012098854.tif 000013
【図１２】
2012098854.tif 000014
【図１３】
2012098854.tif 000015
【図１４】
2012098854.tif 000016
【図１５】
2012098854.tif 000017
【図１６】
2012098854.tif 000018
【図１７】
2012098854.tif 000019
【図１８】
2012098854.tif 000020
【図１９】
2012098854.tif 000021
【図２０】
2012098854.tif 000022